(57)【要約】【課題】  被覆材料の無駄を小さく抑えつつ、粒状体の固まり強度を高めるのに適した構造の嘔吐物処理材、及びその製造方法を提供する。【解決手段】  嘔吐物処理材１は、嘔吐物を吸収する複数の粒状体１０からなる。粒状体１０は、芯部１２、及び被覆部１４を備えている。芯部１２は、略円形の断面を有する粒状をしている。被覆部１４は、芯部１２を覆っている。被覆部１４は、嘔吐物を吸収した複数の粒状体１０どうしを接着させる機能を有する。上記断面において、芯部１２の一方の側における被覆部１４の厚みは、芯部１２の他方の側における被覆部１４の厚みよりも大きい。【選択図】  図２
2018001128.tif 000002
【特許請求の範囲】
【請求項１】
嘔吐物を吸収する複数の粒状体からなる嘔吐物処理材であって、
前記各粒状体は、
略円形の断面を有する粒状の芯部と、
前記芯部を覆うように設けられ、前記嘔吐物を吸収した前記複数の粒状体どうしを接着させる機能を有する被覆部とを、備え、
前記断面において、前記芯部の一方の側における前記被覆部の厚みは、前記芯部の他方の側における前記被覆部の厚みよりも大きいことを特徴とする嘔吐物処理材。
【請求項２】
請求項１に記載の嘔吐物処理材において、
前記一方の側における前記被覆部の厚みは、前記他方の側における前記被覆部の厚みの２倍以上である嘔吐物処理材。
【請求項３】
請求項２に記載の嘔吐物処理材において、
前記一方の側における前記被覆部の厚みは、１ｍｍ以上であり、
前記他方の側における前記被覆部の厚みは、０．５ｍｍ以下である嘔吐物処理材。
【請求項４】
請求項１乃至３の何れかに記載の嘔吐物処理材において、
前記被覆部の厚みは、前記一方の側から前記他方の側に向かうにつれて次第に小さくなる嘔吐物処理材。
【請求項５】
請求項１乃至４の何れかに記載の嘔吐物処理材において、
前記各粒状体は、有機物を主材料としている嘔吐物処理材。
【請求項６】
請求項１乃至５の何れかに記載の嘔吐物処理材において、
前記芯部は、接着性材料を含有していない嘔吐物処理材。
【請求項７】
請求項１乃至６の何れかに記載の嘔吐物処理材において、
前記被覆部は、吸水性ポリマーを含有している嘔吐物処理材。
【請求項８】
請求項１乃至７の何れかに記載の嘔吐物処理材において、
前記各粒状体は、前記嘔吐物中の酸を中和する中和剤を含有している嘔吐物処理材。
【請求項９】
請求項８に記載の嘔吐物処理材において、
前記中和剤は、前記芯部及び前記被覆部のうち前記被覆部にのみ含有されている嘔吐物処理材。
【請求項１０】
請求項１乃至９の何れかに記載の嘔吐物処理材において、
前記嘔吐物を吸収した後の前記各粒状体は、暗色系の色を呈する嘔吐物処理材。
【請求項１１】
請求項１０に記載の嘔吐物処理材において、
前記各粒状体は、活性炭を含有している嘔吐物処理材。
【請求項１２】
請求項１０又は１１に記載の嘔吐物処理材において、
前記各粒状体は、前記暗色系の色に予め着色されている嘔吐物処理材。
【請求項１３】
請求項１０又は１１に記載の嘔吐物処理材において、
前記各粒状体は、前記嘔吐物を吸収する前は明色系の色を呈しており、前記嘔吐物を吸収したときに変色して前記暗色系の色を呈するようになる嘔吐物処理材。
【請求項１４】
嘔吐物を吸収する複数の粒状体からなる嘔吐物処理材を製造する方法であって、
前記複数の粒状体を形成する粒状体形成工程を含み、
前記粒状体形成工程は、
略円形の断面を有する粒状の芯部を形成する芯部形成工程と、
前記芯部を覆うように、前記嘔吐物を吸収した前記複数の粒状体どうしを接着させる機能を有する被覆部を形成する被覆部形成工程と、を含み、
前記被覆部形成工程においては、前記断面において、前記芯部の一方の側における前記被覆部の厚みが、前記芯部の他方の側における前記被覆部の厚みよりも大きくなるように、前記被覆部を形成することを特徴とする嘔吐物処理材の製造方法。
【請求項１５】
請求項１４に記載の嘔吐物処理材の製造方法において、
前記被覆部形成工程においては、前記一方の側における前記被覆部の厚みが、前記他方の側における前記被覆部の厚みの２倍以上となるように、前記被覆部を形成する嘔吐物処理材の製造方法。
【請求項１６】
請求項１４又は１５に記載の嘔吐物処理材の製造方法において、
前記被覆部形成工程においては、前記被覆部の厚みが前記一方の側から前記他方の側に向かうにつれて次第に小さくなるように、当該被覆部を形成する嘔吐物処理材の製造方法。
【請求項１７】
請求項１４乃至１６の何れかに記載の嘔吐物処理材の製造方法において、
前記粒状体形成工程においては、前記嘔吐物中の酸を中和する中和剤を含有する前記複数の粒状体を形成する嘔吐物処理材の製造方法。
【請求項１８】
請求項１７に記載の嘔吐物処理材の製造方法において、
前記粒状体形成工程においては、前記中和剤が前記芯部及び前記被覆部のうち前記被覆部にのみ含有されるように、前記複数の粒状体を形成する嘔吐物処理材の製造方法。
【請求項１９】
請求項１４乃至１８の何れかに記載の嘔吐物処理材の製造方法において、
前記粒状体形成工程においては、前記嘔吐物を吸収した後に暗色系の色を呈する前記複数の粒状体を形成する嘔吐物処理材の製造方法。
【請求項２０】
請求項１９に記載の嘔吐物処理材の製造方法において、
前記粒状体形成工程においては、活性炭を含有する前記複数の粒状体を形成する嘔吐物処理材の製造方法。
【請求項２１】
請求項１９又は２０に記載の嘔吐物処理材の製造方法において、
前記粒状体形成工程においては、前記暗色系の色に予め着色された前記複数の粒状体を形成する嘔吐物処理材の製造方法。
【請求項２２】
請求項１９又は２０に記載の嘔吐物処理材の製造方法において、
前記粒状体形成工程においては、前記嘔吐物を吸収する前は明色系の色を呈し、前記嘔吐物を吸収したときに変色して前記暗色系の色を呈するようになる前記複数の粒状体を形成する嘔吐物処理材の製造方法。
【発明の詳細な説明】
【技術分野】
【０００１】
本発明は、嘔吐物処理材及びその製造方法に関する。
【背景技術】
【０００２】
特許文献１には、嘔吐物の処理に用いられる汚物処理材が記載されている。同文献に記載された汚物処理材は、吸水性を有する複数の粒状体からなる。各粒状体は、粒状の芯部と、芯部を覆う被覆部とを備えている。芯部は、再生プラスチック材料の粉砕物及び紙粉を含む混合物を押出造粒することにより形成されている。被覆部は、高吸水性樹脂を含有する被覆材料を芯部の表面に付着させることにより形成されている。この被覆部は、水分を吸収した粒状体どうしを接着させる機能を有する。
【０００３】
この汚物処理材を嘔吐物の処理に用いる場合、嘔吐物の上に複数の粒状体を敷き詰めればよい。それにより、各粒状体に嘔吐物が吸収される。嘔吐物を吸収した複数の粒状体は、被覆部の作用により相互に接着して固まりになる。かかる粒状体の固まりを取り除くことにより、嘔吐物を処理することができる。
【先行技術文献】
【特許文献】
【０００４】
【特許文献１】特開２００３−２１９７４６号公報
【発明の概要】
【発明が解決しようとする課題】
【０００５】
このように嘔吐物を粒状体に吸収させることにより、床上や路上等の嘔吐物の処理が容易になる。しかしながら、この場合、嘔吐物は、各粒状体の下面（嘔吐物に対向する面）から吸収されるため、各粒状体の上部まで行き渡りにくい。それゆえ、粒状体の固まり形成には、芯部の下側に存在する被覆部が専ら寄与する。すなわち、芯部の上側に存在する被覆部は、固まり形成への寄与が小さい。このことは、嘔吐物を吸収した粒状体の固まり強度を低下させるばかりか、被覆材料の無駄遣いにもなる。
【０００６】
本発明は、上記課題に鑑みてなされたものであり、被覆材料の無駄を小さく抑えつつ、粒状体の固まり強度を高めるのに適した構造の嘔吐物処理材、及びその製造方法を提供することを目的とする。
【課題を解決するための手段】
【０００７】
本発明による嘔吐物処理材は、嘔吐物を吸収する複数の粒状体からなる嘔吐物処理材であって、上記各粒状体は、略円形の断面を有する粒状の芯部と、上記芯部を覆うように設けられ、上記嘔吐物を吸収した上記複数の粒状体どうしを接着させる機能を有する被覆部とを、備え、上記断面において、上記芯部の一方の側における上記被覆部の厚みは、上記芯部の他方の側における上記被覆部の厚みよりも大きいことを特徴とする。
【０００８】
この嘔吐物処理材においては、芯部の一方の側における被覆部の厚みが、他方の側における被覆部の厚みよりも大きい。このため、一方の側（被覆部の厚みが比較的大きい側）から嘔吐物を吸収させることにより、多くの被覆部を固まり形成に寄与させることができる。このことは、嘔吐物を吸収した粒状体の固まり強度を高めるのに有利である。このとき、他方の側の被覆部は、固まり形成への寄与が小さいところ、その厚みは比較的小さい。このように固まり形成への寄与が小さい被覆部の厚みを小さくすることにより、被覆材料の無駄を小さく抑えることができる。
【０００９】
また、本発明による嘔吐物処理材の製造方法は、嘔吐物を吸収する複数の粒状体からなる嘔吐物処理材を製造する方法であって、上記複数の粒状体を形成する粒状体形成工程を含み、上記粒状体形成工程は、略円形の断面を有する粒状の芯部を形成する芯部形成工程と、上記芯部を覆うように、上記嘔吐物を吸収した上記複数の粒状体どうしを接着させる機能を有する被覆部を形成する被覆部形成工程と、を含み、上記被覆部形成工程においては、上記断面において、上記芯部の一方の側における上記被覆部の厚みが、上記芯部の他方の側における上記被覆部の厚みよりも大きくなるように、上記被覆部を形成することを特徴とする。
【００１０】
この製造方法においては、芯部の一方の側における被覆部の厚みが他方の側における被覆部の厚みよりも大きくなるように、被覆部が形成される。このため、製造後の嘔吐物処理材においては、一方の側（被覆部の厚みが比較的大きい側）から嘔吐物を吸収させることにより、多くの被覆部を固まり形成に寄与させることができる。このことは、嘔吐物を吸収した粒状体の固まり強度を高めるのに有利である。このとき、他方の側の被覆部は、固まり形成への寄与が小さいところ、その厚みは比較的小さい。このように固まり形成への寄与が小さい被覆部の厚みを小さくすることにより、被覆材料の無駄を小さく抑えることができる。
【発明の効果】
【００１１】
本発明によれば、被覆材料の無駄を小さく抑えつつ、粒状体の固まり強度を高めるのに適した構造の嘔吐物処理材、及びその製造方法が実現される。
【図面の簡単な説明】
【００１２】
【図１】本発明による嘔吐物処理材の一実施形態を示す模式図である。
【図２】粒状体１０を示す断面図である。
【図３】図１の嘔吐物処理材の使用時の様子を示す模式図である。
【発明を実施するための形態】
【００１３】
以下、図面を参照しつつ、本発明の実施形態について詳細に説明する。なお、図面の説明においては、同一要素には同一符号を付し、重複する説明を省略する。
【００１４】
図１は、本発明による嘔吐物処理材の一実施形態を示す模式図である。嘔吐物処理材１は、嘔吐物の処理に用いられる処理材であって、複数の粒状体１０からなる。
【００１５】
粒状体１０は、吸水性を有しており、嘔吐物を吸収する。粒状体１０は、有機物を主材料としている。ここで、粒状体１０の主材料とは、粒状体１０を構成する材料のうち、当該粒状体１０に占める重量割合が最大のものをいう。有機物としては、例えば、紙類、茶殻、プラスチック類又はオカラを用いることができる。
【００１６】
紙類は、パルプを主体とする材料をいう。紙類としては、例えば、通常の紙の他にも、塩ビ壁紙分級物（塩ビ壁紙を分級することにより得られる紙）、フラッフパルプ、製紙スラッジ、パルプスラッジ等が挙げられる。プラスチック類としては、例えば、紙おむつ分級物（紙おむつを分級することにより得られるプラスチック）を用いてもよい。オカラは、乾燥オカラであることが好ましい。
【００１７】
図２は、粒状体１０を示す断面図である。粒状体１０は、芯部１２、及び被覆部１４を備えている。芯部１２は、粒状をしており、同図に示すように略円形の断面を有している。かかる粒状の形状としては、例えば、球、円柱、楕円体等が挙げられる。芯部１２は、嘔吐物を吸水及び保水する機能を有する。芯部１２は、有機物を主材料としている。
【００１８】
芯部１２は、接着性材料を含有していてもよいし、含有していなくてもよい。接着性材料としては、例えば、ＣＭＣ（カルボキシメチルセルロース）、ＰＶＡ（ポリビニルアルコール）、デキストリン、又は吸水性ポリマーを用いることができる。
【００１９】
被覆部１４は、芯部１２を覆っている。被覆部１４は、芯部１２の表面全体を覆っている。被覆部１４は、接着性材料を含有しており、嘔吐物を吸収した複数の粒状体１０どうしを接着させる機能を有する。被覆部１４も、有機物を主材料としている。
【００２０】
図２に示す断面において、芯部１２の一方の側（図中の下側）における被覆部１４の厚みｄ１は、芯部１２の他方の側（図中の上側）における被覆部１４の厚みｄ２よりも大きい。厚みｄ１は、厚みｄ２の２倍以上であることが好ましい。例えば、厚みｄ１は１ｍｍ以上であり、厚みｄ２は０．５ｍｍ以下である。被覆部１４の厚みは、一方の側から他方の側に向かうにつれて次第に小さくなることが好ましい。
【００２１】
各粒状体１０は、嘔吐物中の酸を中和する中和剤を含有している。中和剤は、芯部１２及び被覆部１４のうち被覆部１４にのみ含有されている。かかる中和剤としては、例えば、水酸化ナトリウム、酸化カルシウム、水酸化カルシウム等を用いることができる。
【００２２】
嘔吐物を吸収した後の各粒状体１０は、暗色系の色（例えば、黒色又は灰色）を呈するように構成されている。例えば、各粒状体１０に活性炭を含有させることにより、嘔吐物を吸収した後の各粒状体１０が暗色系の色を呈するようにすることができる。活性炭は、芯部１２及び被覆部１４の双方に含有されてもよいし、何れか一方にのみ含有されてもよい。各粒状体１０は、暗色系の色に予め着色されていてもよい。すなわち、粒状体１０は、嘔吐物を吸収する前後を通じて、暗色系の色を呈してもよい。あるいは、各粒状体１０は、嘔吐物を吸収する前は明色系の色（例えば、白色又は黄色）を呈しており、嘔吐物を吸収したときに変色して暗色系の色を呈するように構成されていてもよい。このように変色する粒状体１０は、例えば、嘔吐物の水分に反応して発色又は変色する色素材料を被覆部１４に含有させておくことによっても、実現することができる。
【００２３】
図３は、嘔吐物処理材１の使用時の様子を示す模式図である。同図に示すように、嘔吐物９０の上に複数の粒状体１０が敷かれている。このとき、上記一方の側（被覆部１４の厚みが比較的大きい側）が下向きになるようにする。これにより、当該側から各粒状体１０に嘔吐物９０が吸収される。嘔吐物９０を吸収した複数の粒状体１０は、被覆部１４の作用により相互に接着して固まりになる。かかる粒状体１０の固まりを取り除くことにより、嘔吐物９０を処理することができる。
【００２４】
続いて、本発明による嘔吐物処理材の製造方法の一実施形態として、嘔吐物処理材１の製造方法の一例を説明する。この製造方法は、複数の粒状体１０を形成する粒状体形成工程を含んでいる。粒状体形成工程は、芯部形成工程、及び被覆部形成工程を含んでいる。
【００２５】
芯部形成工程は、芯部１２を形成する工程である。この工程においては、造粒装置を用いて芯部材料（芯部１２を構成する材料）を造粒することにより、複数の芯部１２を形成する。造粒装置としては、例えば押出造粒機を用いることができる。造粒に先立って、芯部材料には、粉砕、混練、加水等の前処理が必要に応じて行われる。
【００２６】
被覆部形成工程は、芯部１２を覆うように被覆部１４を形成する工程である。被覆部１４を形成するには、各芯部１２の表面に粉体状の被覆材料（被覆部１４を構成する材料）を付着させればよい。被覆材料の付着は、例えば、散布又は噴霧により行うことができる。このとき、芯部１２の一方の側により多くの被覆材料を付着させることにより、当該一方の側における被覆部１４の厚みｄ１が他方の側における被覆部１４の厚みｄ２よりも大きくなるようにする。その後、篩分け（分粒）、乾燥等の後処理が必要に応じて行われる。以上により、複数の粒状体１０からなる排泄物処理材１が得られる。
【００２７】
本実施形態の効果を説明する。本実施形態においては、芯部１２の一方の側における被覆部１４の厚みｄ１が、他方の側における被覆部１４の厚みｄ２よりも大きくなるように、被覆部１４が形成されている。このため、一方の側（被覆部１４の厚みが比較的大きい側）から嘔吐物を吸収させることにより、多くの被覆部１４を固まり形成に寄与させることができる。このことは、嘔吐物を吸収した粒状体１０の固まり強度を高めるのに有利である。このとき、他方の側の被覆部１４は、固まり形成への寄与が小さいところ、その厚みｄ２は比較的小さい。このように固まり形成への寄与が小さい被覆部１４の厚みを小さくすることにより、被覆材料の無駄を小さく抑えることができる。したがって、被覆材料の無駄を小さく抑えつつ、粒状体１０の固まり強度を高めるのに適した構造の嘔吐物処理材１、及びその製造方法が実現されている。
【００２８】
このように粒状体１０の固まり形成に被覆部１４を効率良く寄与させるには、厚みｄ１と厚みｄ２との差が大きい方が有利である。かかる観点から、厚みｄ１は、厚みｄ２の２倍以上であることが好ましい。また、厚みｄ１は１ｍｍ以上であり、厚みｄ２は０．５ｍｍ以下であることが好ましい。
【００２９】
ところで、嘔吐物の吸収量は、一方の側（嘔吐物に近い側）から他方の側（嘔吐物から遠い側）に向かうにつれて次第に少なくなる。したがって、被覆部１４の厚みが一方の側から他方の側に向かうにつれて次第に小さくなっている場合、吸収量が多い部分ほど被覆部１４の厚みが大きくなる。このため、粒状体１０の固まり形成に被覆部１４を一層効率良く寄与させることができる。
【００３０】
粒状体１０は、芯部１２及び被覆部１４からなる二層構造を有している。これにより、吸水・保水機能は主に芯部１２に担わせ、固まり形成機能は主に被覆部１４に担わせるというように、機能を分担させることができる。そして、芯部１２及び被覆部１４の材料として、それぞれの機能に適したものを選択することにより、複数の機能を共に高めることができる。
【００３１】
芯部１２が接着性材料を含有していない場合、粒状体１０の固まり形成には被覆部１４のみが寄与することになる。それゆえ、この場合、被覆部１４を固まり形成に効率良く寄与させることのできる嘔吐物処理材１が、特に有用となる。
【００３２】
粒状体１０は、有機物を主材料としている。これにより、焼却処分に適した粒状体１０を得ることができる。このように粒状体１０が焼却処分に適していれば、使用済みの嘔吐物処理材１を可燃ゴミとして捨てることができるため、ユーザにとっての利便性が向上する。ただし、粒状体１０が有機物を主材料とすることは、必須でない。
【００３３】
粒状体１０は、嘔吐物中の酸を中和する中和剤を含有している。これにより、嘔吐物を酸性から中性に近づけることができる。この点、吸水性ポリマーは、酸性の水分よりも中性の水分を吸収しやすい性質を有する。したがって、被覆部１４が接着性材料として吸水性ポリマーを含有する場合、嘔吐物を酸性から中性に近づけることにより、被覆部１４の固まり形成機能を高めることができる。
【００３４】
中和剤は、芯部１２及び被覆部１４のうち被覆部１４にのみ含有されている。この点に関し、粒状体１０に吸収される嘔吐物は、被覆部１４を通って芯部１２に達する。それゆえ、中和剤を被覆部１４に含有させることにより、芯部１２に含有させた場合よりも早く嘔吐物中の酸を中和することができる。また、芯部１２に中和剤を含有させないことにより、嘔吐物処理材１の製造コストを小さく抑えることができる。
【００３５】
嘔吐物を吸収した後の粒状体１０は、暗色系の色を呈する。この場合、嘔吐物の色が目立たなくなる。これにより、嘔吐物を目にすることによる不快感を緩和することができる。ただし、嘔吐物を吸収した後の粒状体１０が暗色系の色を呈することは、必須でない。
【００３６】
粒状体１０が活性炭を含有する場合、粒状体１０を暗色系の色にするだけでなく、粒状体１０に脱臭効果をもたせることもできる。
【００３７】
粒状体１０が暗色系の色に予め着色されている場合、嘔吐物を吸収した後に暗色系の色を呈する粒状体１０を容易に実現することができる。他方、粒状体１０が嘔吐物を吸収する前は明色系の色を呈しており、嘔吐物を吸収したときに変色して暗色系の色を呈するようになる場合、使用前の粒状体１０の美観を高めることができる。
【００３８】
本発明は、上記実施形態に限定されるものではなく、様々な変形が可能である。上記実施形態においては、芯部１２及び被覆部１４のうち被覆部１４にのみ中和剤が含有された場合を例示した。しかし、中和剤は、芯部１２及び被覆部１４のうち芯部１２にのみ含有されてもよいし、芯部１２及び被覆部１４の双方に含有されてもよい。ただし、粒状体１０が中和剤を含有することは、必須でない。
【符号の説明】
【００３９】
１  嘔吐物処理材
１０  粒状体
１２  芯部
１４  被覆部
９０  嘔吐物
【図１】
2018001128.tif 000003
【図２】
2018001128.tif 000004
【図３】
2018001128.tif 000005
【手続補正書】
【提出日】平成28年11月16日(2016.11.16)
【手続補正１】
【補正対象書類名】特許請求の範囲
【補正対象項目名】請求項１
【補正方法】変更
【補正の内容】
【請求項１】
嘔吐物を吸収する複数の粒状体からなる嘔吐物処理材であって、
前記各粒状体は、
円形の断面を有する粒状の芯部と、
前記芯部を覆うように設けられ、前記嘔吐物を吸収した前記複数の粒状体どうしを接着させる機能を有する被覆部とを、備え、
前記芯部の前記断面と同一平面内にある前記各粒状体の断面において、前記芯部の一方の側における前記被覆部の厚みは、前記芯部の他方の側における前記被覆部の厚みよりも大きいことを特徴とする嘔吐物処理材。
【手続補正２】
【補正対象書類名】特許請求の範囲
【補正対象項目名】請求項１４
【補正方法】変更
【補正の内容】
【請求項１４】
嘔吐物を吸収する複数の粒状体からなる嘔吐物処理材を製造する方法であって、
前記複数の粒状体を形成する粒状体形成工程を含み、
前記粒状体形成工程は、
円形の断面を有する粒状の芯部を形成する芯部形成工程と、
前記芯部を覆うように、前記嘔吐物を吸収した前記複数の粒状体どうしを接着させる機能を有する被覆部を形成する被覆部形成工程と、を含み、
前記被覆部形成工程においては、前記芯部の前記断面と同一平面内にある前記各粒状体の断面において、前記芯部の一方の側における前記被覆部の厚みが、前記芯部の他方の側における前記被覆部の厚みよりも大きくなるように、前記被覆部を形成することを特徴とする嘔吐物処理材の製造方法。
【手続補正書】
【提出日】平成29年2月8日(2017.2.8)
【手続補正１】
【補正対象書類名】特許請求の範囲
【補正対象項目名】請求項１
【補正方法】変更
【補正の内容】
【請求項１】
嘔吐物を吸収する複数の粒状体からなる嘔吐物処理材であって、
前記各粒状体は、
円形の断面を有し、前記嘔吐物を吸水及び保水する機能を有する粒状の芯部と、
前記芯部を覆うように設けられ、前記嘔吐物を吸収した前記複数の粒状体どうしを接着させる機能を有する被覆部とを、備え、
前記芯部の前記断面と同一平面内にある前記各粒状体の断面において、前記芯部の一方の側における前記被覆部の厚みは、前記芯部の他方の側における前記被覆部の厚みよりも大きいことを特徴とする嘔吐物処理材。
【手続補正２】
【補正対象書類名】特許請求の範囲
【補正対象項目名】請求項１４
【補正方法】変更
【補正の内容】
【請求項１４】
嘔吐物を吸収する複数の粒状体からなる嘔吐物処理材を製造する方法であって、
前記複数の粒状体を形成する粒状体形成工程を含み、
前記粒状体形成工程は、
円形の断面を有し、前記嘔吐物を吸水及び保水する機能を有する粒状の芯部を形成する芯部形成工程と、
前記芯部を覆うように、前記嘔吐物を吸収した前記複数の粒状体どうしを接着させる機能を有する被覆部を形成する被覆部形成工程と、を含み、
前記被覆部形成工程においては、前記芯部の前記断面と同一平面内にある前記各粒状体の断面において、前記芯部の一方の側における前記被覆部の厚みが、前記芯部の他方の側における前記被覆部の厚みよりも大きくなるように、前記被覆部を形成することを特徴とする嘔吐物処理材の製造方法。